(57)【要約】【課題】  手術者その他看護婦等が医療手術の前後において安全に取扱うことができる使い捨て手術用メスを提供する。【解決手段】  刃先部の基部を長手軸方向に伸長する固定部材に固着し、この固定部材を中空の柄部に挿入して、使用前には、固定部材から前方に突出している刃先部を中空の柄部内に収納し、手術の時には、刃先部を柄部から前方に露出させ、また、使用後は再び刃先部を柄部内に挿入するもので、しかも、以上の操作を術者の片手で簡単に実行することができるように構成する。【選択図】  図１
2005040573.tif 000002
【特許請求の範囲】
【請求項１】
手術用メスの刃先部の基部を長手方向に伸長する固定部材に固着することと、
前記固定部材を側壁を取付けることにより中空の柄部を構成する柄部内に滑動させることができるように装入することと、
前記固定部材を前記中空の柄部より前方に移動することにより前記メスの刃先部を手術可能位置に固定し、前記固定部材を前記中空の柄部内に引き込ませると前記メスの刃先部を前記中空の柄部内に収容することができるように構成したことを特徴とする使い捨て手術用メス。
【請求項２】
前記手術用メスの刃先部を手術可能の前進位置と、前記柄部内に完全に収容された位置とに位置ぎめする手段を前記固定部材の後部上面と前記柄部の上面とに形成したことを特徴とする請求項１に記載の使い捨て手術用メス。
【請求項３】
前記位置ぎめ手段として前記固定部材の後端から上方に移動することが出来るようにした弾性体に後端を支持し、前端を自由にした可動部材を設け、前記可動部材に前記柄部の上面に設けた長方形の開口から露出する突起部を形成し、その先端に前方ストッパーを、またその後端に後方ストッパーを突出するように設け、前記柄部の上面に設けた前記長方形の開口の前方に前記可動部材の前記前方ストッパーが挿入される前方開口を、そして前記柄部の上面に設けた前記長方形の開口の後方に前記可動部材の前記後方ストッパーが挿入される後方開口を設けて成る請求項２に記載の使い捨て手術用メス。
【発明の詳細な説明】
【技術分野】
【０００１】  この発明は使い捨て手術用メス、より詳しく述べると、医療手術に際して、手術者その他が安全に使用できる使い捨て手術用メスを提供することにある。
【背景技術】
【０００２】  手術用メスは医療手術の内容や目的その他に応じて、種々の形態の刃部がメスの柄の部分に固定または着脱可能に取付けてあり、通常、刃部は再使用することなく、柄から取外して放棄する、いわゆる使い捨て手術用メスが広く用いられている。【０００３】  従来のこの種の使い捨て手術用メスの具体例を図について説明すると、図５に示すように、メスの刃部Ａは柄Ｂの先端に着脱可能に取付けてあって、刃部Ａの前面に保護キャップＣを挿入して、刃部Ａを保護し、保護キャップＣによってメスの刃部Ａを外部の物体や術者その他に直接に接触することがないようにしてある。したがって、刃部Ａが損傷したり、あるいは刃の切れ味が鈍ることを未然に防止している。【０００４】  すなわち、通常、メスを使用しない時には、刃部Ａに保護キャップＣを被せておき、手術の際に、保護キャップＣを取り外し、手術がすむと、再び刃部Ａに保護キャップＣを取付けて、そのメスを捨てるわけである。このように、メスの使用の前後に刃部Ａから保護キャップＣをはずしたり、取り付けたりすることは、頗る煩らわしく、またその時にケガをする危険もあった。
【発明の開示】
【発明が解決しようとする課題】
【０００５】  この発明は、以上に述べたような従来のこの種の使い捨て手術用メスの問題点を考慮して、安全で、しかも容易に取扱うことのできる使い捨て手術用メスを提供することにある。
【課題を解決するための手段】
【０００６】  この発明の使い捨て手術用メスは、刃先部の基部を長手軸方向に伸長する固定部材に固着し、この固定部材を中空の柄部に挿入して、使用前には、固定部材から前方に突出している刃先部を中空の柄部内に収納し、手術の時には、刃先部を柄部から前方に露出させ、また、使用後は再び刃先部を柄部内に挿入するもので、しかも、以上の操作を術者の片手で簡単に実行することができるようにしたことを主要目的とする。
【発明を実施するための最良の形態】
【０００７】  図１は、この発明の使い捨て手術用メス１０を示す斜視図で、図２は手術用メス１０の組立分解図であって、刃先部１２の基部は図２に良く示してあるように固定部材１４に固着してある。【０００８】  固定部材１４は、図２に示すように長手軸線方向に伸長し、側壁１６を取付けることによって中空の柄部１８を構成する柄部１８内を滑動させることができるようにしてある。すなわち後述するように、固定部材１４を柄部１８より前方へ移動させれば、刃先部１２が手術可能位置に固定され、固定部材１４を中空の柄部１８内に引き込むと、図３に示すように、刃先部１２が柄部１８内に収容される。【０００９】  固定部材１４を柄部１８について、所定の位置、すなわちメス１０の刃先部１２が手術可能の前進した位置、あるいは柄部１８内に完全に収容された位置に位置ぎめする手段２０，２１が固定部材１４の後部上面と柄部１８の上面とに形成してある。【００１０】  位置ぎめ手段は、固定部材１４の後端２０から上方に移動することが出来るようにした弾性体２２に後端が支持してあって、前端が自由にしてある可動部材２４から構成してある。この可動部材２４には柄部１８の上面に設けた長方形の開口２６から露出する突起部２８が形成してあり、その先端に前方ストッパー３０が、また後端には後方ストッパー３２が、それぞれ突出するように形成してある。【００１１】  上方の長方形の開口２６の前方には、可動部材２４の前方ストッパー３０が挿入される前方開口３４が、また開口２６の後方には、可動部材２４の後方ストッパー３２が挿入される後方開口３６が、それぞれ形成してある。【００１２】  手術用メス１０の刃先部１２を手術のための使用位置、すなわち柄部１８の前端より突出した位置にするには、柄部１８の上面に形成してある長方形の開口２６から突出している突起部２８を、使用者の片手で押し下げながら前方に移動させれば、前方ストッパー３０が弾性体２２の作用で前方開口３４に嵌合して、手術用メス１０の刃先部１２を柄部１８の前端より突出した、使用可能位置で確実に柄部１８に固定する（図３）。【００１３】  手術用メス１０を使用後は、使用者の片方の手で突出部２８を押し下げながら、これを後方へ移動すれば、前方ストッパー３０が前方開口３４から脱出して、後方ストッパー３２が後方開口３６の位置に達すると、弾性体２２の作用で後方開口３６に嵌合して、メス１０の刃先部１２は柄部１８の内部に完全に収容される（図４）。
【図面の簡単な説明】
【００１４】
【図１】使い捨て手術用メスの斜視図。
【図２】使い捨て手術用メスの組立分解斜視図。
【図３】使い捨て手術用メスの刃先部を使用位置にした断面図。
【図４】使い捨て手術用メスの刃先部を柄部内に収容した状態を示す断面図。
【図５】従来の使い捨て手術用メスの一例を示す組立分解斜視図。
【符号の説明】
【００１５】  １０  使い捨て手術用メス
１２  刃先部
１４  固定部材
１６  側壁
１８  柄部
２０  固定部材（１４）の後端
２２  弾性体
２４  可動部材
２６  長方形の開口
２８  突起部
３０  前方ストッパー
３２  後方ストッパー
３４  前方開口
３６  後方開口
Ａ  従来のメスの刃部
Ｂ  柄
Ｃ  保護キャップ
【図１】
2005040573.tif 000003
【図２】
2005040573.tif 000004
【図３】
2005040573.tif 000005
【図４】
2005040573.tif 000006
【図５】
2005040573.tif 000007